(57)【要約】【課題】  胴を保護する機能を持ち、胴の装飾性を高め、さらに皮の交換作業を容易化する三味線を提供する。【解決手段】  胴１１０の周壁１１４に複数の挿通孔１１１が形成されており、紐１７０を挿通孔１１１に挿通させて胴１１０に巻き付けることで胴を保護し、さらに皮１８２を有する拡張部材１６０を具設させる。【選択図】図１
2019078990.tif 000002
【特許請求の範囲】
【請求項１】
胴１１０の周壁１１４に少なくとも一つ以上の挿通孔１１１が形成され、
挿通孔１１１は紐１７０が挿通可能である大きさを有しており、
紐１７０を挿通孔１１１に挿通させて胴１１０に巻き付けることが可能であることを特徴とする三味線。
【請求項２】
前記胴１１０内部に第１補完部材１３０を備えており、
第１補完部材１３０は、中空の略円柱形状または中空の略四角柱形状であることを特徴とする請求項１に記載の三味線。
【請求項３】
胴１１０の内部に第２補完部材１４０を備え、
第２補完部材１４０に挿通孔１４１が形成されており、
挿通孔１４１は紐１７０が挿通可能である大きさを有しており、
第２補完部材１４０の側壁に挿通孔１４１と繋がる挿通孔１４２が形成されていることを特徴とする請求項１または２に記載の三味線。
【請求項４】
胴１１０の周壁１１４に少なくとも一つ以上の溝部１１６が形成されていることを特徴とする請求項１乃至３のいずれか一つに記載の三味線。
【請求項５】
棹の側壁１２３に、少なくとも一つの挿通孔１２１が形成されており、
挿通孔１２１は紐１７１が挿通可能である大きさを有していることを特徴とする請求項１乃至４のいずれか一つに記載の三味線。
【請求項６】
胴１１０の上部または底部の少なくとも一方に拡張縁部１１７が設けられていることを特徴とする請求項１乃至５のいずれか一つに記載の三味線。
【請求項７】
胴１１０の上部または底部の少なくとも一方に拡張部材１６０を備えており、
拡張部材１６０の外縁近傍に挿通孔１６１が形成されていることを特徴とする請求項１乃至６のいずれか一つに記載の三味線。
【請求項８】
胴１１０の上面または底面の少なくとも一方に凸部１１９が形成され、
拡張部材１６０の内部に窪み部１６２が設けられており、
凸部１１９と窪み部１６２が掛合可能であることを特徴とする請求項１乃至７のいずれか一つに記載の三味線。
【発明の詳細な説明】
【技術分野】
【０００１】  本発明は、三味線に関するものである。
【背景技術】
【０００２】  三味線の胴に破損が生じないように、胴の側壁を覆う大きさを有する胴掛けや胴カバーを用いて、胴を保護することが一般的であった。
【発明の概要】
【発明が解決しようとする課題】
【０００３】  従来の三味線は、胴掛けや胴カバーを用いることで胴を保護してきた。その為、装飾出来る領域に制限があり、自由自在に装飾を施すことが出来なかった。【０００４】  また、皮が破損した際に、皮を容易に交換することが出来なかった。【０００５】  さらに、立ち姿勢で動きながら演奏をしたい場合でも、自由に三味線を持ち運ぶことが出来ない構造であった。
【課題を解決するための手段】
【０００６】  上記の目的を達成する為、本発明は、胴１１０の周壁１１４に少なくとも一つ以上の挿通孔１１１が形成され、挿通孔１１１は紐１７０が挿通可能である大きさを有しており、紐１７０を挿通孔１１１に挿通させて胴１１０に巻き付けることが可能である三味線を提供する。【０００７】  前記胴１１０内部に第１補完部材１３０を備えており、第１補完部材１３０は、中空の略円柱形状または中空の略四角柱形状であることが好ましい。【０００８】  胴１１０の内部に第２補完部材１４０を備え、第２補完部材１４０に挿通孔１４１が形成されており、挿通孔１４１は紐１７０が挿通可能である大きさを有しており、第２補完部材１４０の側壁に挿通孔１４１と繋がる挿通孔１４２が形成されていることが好ましい。【０００９】  胴１１０の周壁１１４に少なくとも一つ以上の溝部１１６が形成されていることが好ましい。【００１０】  棹の側壁１２３に、少なくとも一つの挿通孔１２１が形成されており、挿通孔１２１は紐１７１が挿通可能である大きさを有していることが好ましい。【００１１】  胴１１０の上部または底部の少なくとも一方に拡張縁部１１７が設けられていることが好ましい。【００１２】  胴１１０の上部または底部の少なくとも一方に拡張部材１６０を備えており、拡張部材１６０の外縁近傍に挿通孔１６１が形成されていることが好ましい。【００１３】  胴１１０の上面または底面の少なくとも一方に凸部１１９が形成され、拡張部材１６０の内部に窪み部１６２が設けられており、凸部１１９と窪み部１６２が掛合可能であることが好ましい。
【発明の効果】
【００１４】  挿通孔１１１を挿通された紐１７０が胴１１０の周壁１１４を覆うことで、胴１１０を保護することが出来る。【００１５】  また、紐１７０が挿通孔１１１を経由するルートが多くある為、紐１７０によって胴１１０を装飾できる幅が広がり、意匠性を向上させることが出来る。
挿通孔１１１に挿通された紐１７０は挿脱自在である為、紐１７０を融通無碍に自由に掛け替えることが出来る。これにより使用者の気分に合わせて、胴１１０を中心として様々な装飾を施すことが可能である。【００１６】  拡張部材１６０を利用することで、皮１８２を容易に交換することが可能である。【００１７】  首掛け・肩掛け等との連結が可能であるので、三味線１００の運搬性・携帯性を向上させることが可能であり、首や肩に掛けて自由に演奏することが可能になる。【００１８】  また、胴内部に補完部材を備えることで、胴の耐久性が高まり、胴の破損や亀裂が生じることを防ぐことが出来る。
さらに、紐１７０により、三味線１００が不意に落脱することを防ぐことが出来る。言い換えれば、滑り止めの効果が期待出来る。
【発明を実施するための形態】
【００１９】  図１は三味線１００の一部を省略した斜視図であり、図２は三味線１００の胴１１０の右上部分を拡大した図（一部拡大図）である。
【００２０】  図示した図では、三味線１００の胴１１０を中心に表しており、天神、糸、糸巻き等を省略しているが、通常使用される部材が具備されている三味線を想定している。
【００２１】  胴１１０の経口１１３と表皮１８０が固着されている。本発明における「固着」とは、糊・ボンドなどの接着材を用いて接着すること、または、ネジ・釘・画鋲・金具などを用いて固定することを意味する。言い換えれば、経口１１３は、表皮１８０を接合（固着）させる役割を有している。
【００２２】  胴１１０は中空の略四角柱形状であり、胴１１０は周壁１１４を有し、周壁１１４と隣接する周壁１１４の境界に角部１１５を有している。
【００２３】  周壁１１４に多数の挿通孔１１１が形成されており、棹１２０の側壁１２３に挿通孔１２１が形成されている。
【００２４】  挿通孔１１１と挿通孔１２１を利用して、胴１１０の周壁１１４の全周において紐１７０を巻き付けることが出来る。
【００２５】  図３は変形例１００Ａの一部を省略した斜視図であり、図４は三味線１００Ａの胴１１０の右上部分を拡大した図（一部拡大図）である。
【００２６】  図示しているように、胴１１０の内部に第１補完部材１３０が具設されており、第１補完部材１３０は中空の略円柱形状である。
【００２７】  この第１補完部材１３０があることで、表皮１８０の振動波が胴１１０の挿通孔１１１から外部へ放射される音波の量を抑制することが出来る。これにより、三味線１００の音響を高めることが可能である。
【００２８】  図５は変形例１００Ｂの一部を省略した斜視図であり、図６は三味線１００Ｂの胴１１０の右上部分を拡大した図（一部拡大図）であり、図７は第２補完部材１４０の拡大斜視図である。
【００２９】  胴１１０の内部に第２補完部材１４０と第３補完部材１４５が具設されており、胴１１０の周壁１１４に溝部１１６が形成されている。
【００３０】  溝部１１６は一定の幅を有し、縦方向に延びている。紐１７０と溝部１１６が囲む領域は、肩掛ロープ１７１の一端に連結されたフック掛部１７２の先端部１７３を通過させる上で必要な十分な大きさを有している。この領域に、フック掛部１７２を差し込むことで、肩掛ロープ１７１と胴１１０を連結させることが出来る。
【００３１】  溝部１１６を複数設けることで、肩掛けの長さを調節することも出来る。例えば、溝部１１６Ａをロング用、溝部１１６Ｂをショート用というように使い分けが可能である。
【００３２】  また、首や肩に掛けて自由に演奏することが可能であり、三味線１００の運搬性・携帯性を高めることが出来る。
【００３３】  図７で示すように、第２補完部材１４０は略三角柱形状であり上辺から底辺へ向かう挿通孔１４１が形成されている。
【００３４】  また、第２補完部材１４０の側壁からほぼ水平に延びる挿通孔１４２が形成され、挿通孔１４１と交差した状態になっている。このようにすることで、紐１７０が挿通可能である経路が増え、装飾の自由度が高まり、意匠性の向上に繋がる。
【００３５】  図８は変形例１００Ｃの一部を省略した斜視図であり、図９は変形例１００Ｃの正面断面図である。
【００３６】  胴１１０の内部に第４補助部材１５０が具設されている。第４補助部材１５０は上面および底面は台形の短辺側に略円弧状の溝が設けられた形であり、柱状に延びる形状を有している。
【００３７】  図９で示すように、胴１１０の内部から棹１２０へ向かって略水平方向へ延びる挿通孔１２６と、棹１２０の底部から上部へ向かって略垂直方向へ延びる挿通孔１２５が形成されている。棹１２０の側壁１２３には複数個の挿通孔１２１が設けられており、棹１２０の内部で挿通孔１２１と挿通孔１２６と挿通孔１２５が連結している。
【００３８】  胴１１０の底辺には、サウンドホール１８５が形成されている。サウンドホール１８５は、胴内部での響きを外部へ放射させる役割を有している。
【００３９】  中木１２４の先端は胴１１０の外壁面から突出しておらず、載置部材１９０が胴１１０の外壁面に設置されている。載置部材１９０の載置部１９１を床に着けることで、三味線１００を直立させることが可能である。
【００４０】  図１０は変形例１００Ｄの一部を省略した斜視図である。図示しているように、胴１１０は中空の略円柱形状であり、第１補完部材１３０は中空の略四角柱形状である。
【００４１】  周壁１１４に複数個の挿通孔１１１が形成されており、棹１２０の側壁１２３にも複数個の挿通孔１２１が形成されている。
【００４２】  胴１１０が略円柱形状であるので、角部１１５は形成されていない。この場合でも、挿通孔１１１に紐１７０を挿通させることで、胴１１０の周壁１１４を保護することが可能である。
【００４３】  図１１は変形例１００Ｅの一部を省略した断面図であり、図１２は変形例１００Ｅの側面断面図である。
【００４４】  図示しているように、拡張部材１６０は、厚さ方向の大きさの小さい、中空の略四角柱の形状である。この拡張部材１６０の上辺に皮１８２が固着されており、皮１８２と拡張部材１６０が固着された状態で、外縁近傍に挿通孔１６１が形成されている。
【００４５】  胴１１０の上部に外側に突き出た拡張縁部１１７が形成されている。拡張縁部１１７の外縁近傍に挿通孔１１８が形成されている。
【００４６】  挿通孔１６１と挿通孔１１８を合わせて、紐１７０が挿通されており、これにより胴１１０と拡張部材１６０を接合させることが出来る。
【００４７】  挿通孔１６１と挿通孔１１８に挿通されている紐１７０をそこから抜き取ることで、拡張部材１６０を胴１１０から取り外すことが出来る。
【００４８】  皮１８２が破損した場合には、皮１８２のみ交換が可能であり、皮１８２の取り替えを容易に行うことが出来る。
【００４９】  図１３は変形例１００Ｆの一部を省略した断面図であり、図１４は変形例１００Ｆの側面断面図である。
【００５０】  図示しているように、胴１１０の上部と底部に拡張部材１６０が取り付けられており、拡張部材１６０の外縁近傍に挿通孔１６１が形成されている。
【００５１】  図１４で示すように、胴１１０の内側壁が突出して凸部１１９が形成されており、拡張部材１６０の内側壁に窪み部１６２が形成されている。
【００５２】  この凸部１１９と窪み部１６２が掛合することで、胴１１０と拡張部材１６０が安定的に接合された状態になる。
【００５３】  第１補完部材１３０・第２補完部材１４０・第３補完部材１４５・第４補助部材１５０の各々の頂面は、胴１１０経口１１３とほぼ同一平面にある。各々の頂面を経口１１３の拡張部として利用することが出来、より強固に胴１１０と表皮１８０を固着させることが可能になる。
【００５４】＜図の補足説明＞
図１・図３・図５・図８・図１０・図１１・図１３の上方にＡＡ波線を表示しており、ＡＡ波線よりも下方においては、見やすさを考慮して表皮１９０を省略してある。
また、図８と図１０は、挿通孔１１１や挿通孔１２１の形状を分かりやすく示す為に、紐１７０のない状態を示している。
【００５５】＜挿通孔の補足説明＞
挿通孔１１１・挿通孔１２１・挿通孔１１８・挿通孔１２１・挿通孔１２５・挿通孔１２６・挿通孔１４１・挿通孔１４２・挿通孔１６１の各々の内径は、紐１７０を挿通させるのに十分な大きさを有している。
【００５６】  さらに、図８や図９などで示す挿通孔１２１・挿通孔１２５・挿通孔１２６の各々の内径は、首掛け用の紐（比較的に太い紐）を挿通させるのに十分な大きさを有している。
【００５７】＜素材・属性＞
紐１７０の素材は、天然繊維、人工繊維、ゴム紐、合成樹脂、ナイロン、ポリエステル、ポリエチレンなどを利用することが可能であり、太さは極細紐から極太紐まで幅広いサイズを適用することが可能である。
【００５８】  表皮１８０・裏皮１８１・皮１８２の素材として、天然皮、人工皮、紙、薄板などを利用することが可能である。
【００５９】  第１補完部材１３０・第２補完部材１４０・第３補完部材１４５・第４補助部材１５０・拡張部材１６０・載置部材１９０の素材として、金属、木材、プラスチック、合成樹脂、セラミック、陶器、ゴムなどを利用することが可能である。
【図面の簡単な説明】
【００６０】
【図１】三味線１００の一部を省略した斜視図である。
【図２】図１の部分拡大図である。
【図３】変形例１００Ａの一部を省略した斜視図である。
【図４】図３の部分拡大図である。
【図５】変形例１００Ｂの一部を省略した斜視図である。
【図６】図５の部分拡大図である。
【図７】第２補完部材１４０の拡大斜視図である。
【図８】変形例１００Ｃの一部を省略した斜視図である。
【図９】図８の正面断面図である。
【図１０】変形例１００Ｄの一部を省略した斜視図である。
【図１１】変形例１００Ｅの一部を省略した断面図である。
【図１２】図１１の側面断面図である。
【図１３】変形例１００Ｆの一部を省略した断面図である。
【図１４】図１３の側面断面図である。
【符号の説明】
【００６１】１００…三味線、  １１０…胴、  １１１…挿通孔、  １１３…経口、  １１４…周壁、１１５…角部、  １１６…溝部、  １１７…拡張縁部、  １１８…挿通孔、  １１９…凸部、  １２０…棹、  １２１…挿通孔、  １２３…側壁、  １２４…中木、  １２５…挿通孔、１２６…挿通孔、  １３０…第１補完部材、  １４０…第２補完部材、  １４１…挿通孔、  １４２…挿通孔、  １４５…第３補完部材、  １５０…第４補助部、  １６０…拡張部材、  １６１…挿通孔、  １６２…窪み部、  １７０…紐、  １７１…肩掛ロープ、  １７２…フック掛部、  １７３…先端部、  １８０…表皮、  １８１…裏皮、  １８２…皮、  １８５…サウンドホール、  １９０…載置部材、  １９１…載置部
【図１】
2019078990.tif 000003
【図２】
2019078990.tif 000004
【図３】
2019078990.tif 000005
【図４】
2019078990.tif 000006
【図５】
2019078990.tif 000007
【図６】
2019078990.tif 000008
【図７】
2019078990.tif 000009
【図８】
2019078990.tif 000010
【図９】
2019078990.tif 000011
【図１０】
2019078990.tif 000012
【図１１】
2019078990.tif 000013
【図１２】
2019078990.tif 000014
【図１３】
2019078990.tif 000015
【図１４】
2019078990.tif 000016